(57)【要約】【課題】一つの駆動源によって一対の可動部材をバランス良く且つスムーズに対称移動させることができる演出装置および当該演出装置を備えた遊技機を提供する。【解決手段】ロゴ部材１１０Ｌでは、背面ギア１１１Ｌが連結ギア２３０Ｌと噛み合い、且つ、ガイド体１１２Ｌ，１１３Ｌがガイド溝に沿って摺動可能である。ロゴ部材１１０Ｒでは、背面ギア１１１Ｒが連結ギア２３０Ｒと噛み合い、且つ、ガイド体１１２Ｒ，１１３Ｒがガイド溝に沿って摺動可能である。連結ギア２３０Ｌは、ロゴ駆動モータ３００に設けられた出力ギア２４０と噛み合い、且つ、連結ロッド２２０の一端側に設けられた傘歯ギア２２１Ｌと噛み合う。連結ギア２３０Ｒは、連結ロッドの他端側に設けられた傘歯ギア２２１Ｒと噛み合う。【選択図】図７
2013236802.tif 000002
【特許請求の範囲】
【請求項１】
正面視で互いに近接または離間する方向に対称移動可能な一対の可動部材である第一可動部材および第二可動部材を備えた演出装置であって、
前記第一可動部材は、前記第一可動部材の背面側に設けられた、前記第一可動部材の移動方向に沿って連続する歯部である第一背面ギアと、前記第一可動部材の移動方向と直交する方向に突出する第一ガイド体とを有し、
前記第二可動部材は、前記第二可動部材の背面側に設けられた、前記第二可動部材の移動方向に沿って連続する歯部である第二背面ギアと、前記第二可動部材の移動方向と直交する方向に突出する第二ガイド体とを有し、
前記第一可動部材の背面側で軸心回りに回転自在に支持され、前記第一背面ギアと噛み合う第一連結ギアと、
前記第一ガイド体が摺動可能な溝部であって、前記第一可動部材の移動方向に沿って延びる第一ガイド溝と、
前記第二可動部材の背面側で軸心回りに回転自在に支持され、前記第二背面ギアと噛み合う第二連結ギアと、
前記第二ガイド体が摺動可能な溝部であって、前記第二可動部材の移動方向に沿って延びる第二ガイド溝と、
前記第一連結ギアと噛み合う出力ギアを回転可能な駆動源と、
前記第一連結ギアの回転に連動して、前記第二連結ギアを回転させる動力伝達手段と
を備えたことを特徴とする演出装置。
【請求項２】
前記動力伝達手段は、
前記第二連結ギアとの間で軸心回りに回転自在に支持され、前記第一連結ギアおよび前記第二連結ギアの各軸線と直交する方向に延びる連結ロッドと、
前記連結ロッドの一端側に設けられ、前記第一連結ギアと係合する第一回転軸方向変換手段と、
前記連結ロッドの他端側に設けられ、前記第二連結ギアと係合する第二回転軸方向変換手段と
を備えたことを特徴とする請求項１に記載の演出装置。
【請求項３】
前記第一可動部材および前記第二可動部材は、前記演出装置の左右両側に向けて対称移動可能であり、且つ、平面視で前方側に膨らむ円弧状をなし、
前記第一ガイド溝および前記第二ガイド溝は、互いに近接する前記演出装置の中央側から、互いに離間する前記演出装置の左右両側に向けて、それぞれ前方から後方に向けて湾曲する円弧状をなすことを特徴とする請求項１または２に記載の演出装置。
【請求項４】
前記第一可動部材および前記第二可動部材は、各々の前記端面に相互に吸着する磁性体が設けられたことを特徴とする請求項１から３のいずれかに記載の演出装置。
【請求項５】
請求項１から４のいずれかに記載の演出装置と、
前記駆動源を制御することで、前記第一可動部材および前記第二可動部材の移動位置を調整する制御手段を備えたことを特徴とする遊技機。
【発明の詳細な説明】
【技術分野】
【０００１】
本発明は、遊技盤に設けられて演出を行う演出装置および当該演出装置を備えた遊技機に関する。
【背景技術】
【０００２】
従来、遊技盤に設けられて、それぞれ近接または離間する方向に対称移動可能な一対の可動部材を備えた演出装置が知られている（例えば、特許文献１参照）。特許文献１に開示の可動役物は、それぞれ軸部を中心に揺動可能な左右一対の揺動部材が、連結機構によって連結されている。右側の揺動部材には、右側の揺動部材を開方向に付勢する引っ張りバネが連結されている。引っ張りバネは、連結機構を介して左側の揺動部材も開方向に付勢する。一方、ステッピングモータの出力軸にはカムが固着されており、このカムに、左側の揺動部材に設けられたカムフォロアが当接している。カムフォロアがカムに当接することで、左側の揺動部材の開方向への移動が規制される。同時に、連結機構を介して、右側の揺動部材の開方向への移動も規制される。
【０００３】
カムのカム面は、カムの回転中心からの距離が、回転方向に沿って徐々に変化する形状を有する。ステッピングモータがカムを回転させることで、カムの回転中心を基準としたカムフォロアの位置が変化する。カムフォロアがカムの回転中心に近づくほど、左側の揺動部材が開方向に移動し、さらに連結機構を介して右側の揺動部材が開方向に移動する。カムフォロアがカムの回転中心から遠ざかるほど、左側の揺動部材が閉方向に移動し、さらに連結機構を介して右側の揺動部材が閉方向に移動する。このように、ステッピングモータの回転制御によって、左右一対の揺動部材が左右方向に揺れ動く。
【先行技術文献】
【特許文献】
【０００４】
【特許文献１】特開２００７−２９２５５号公報
【発明の概要】
【発明が解決しようとする課題】
【０００５】
特許文献１に開示の可動役物では、左側の揺動部材の揺動に対して主として作用するのはステッピングモータの駆動力であるのに対し、右側の揺動部材の揺動に対して主として作用するのは引っ張りバネの付勢力である。このように、各揺動部材を移動させる主たる駆動源が相違する場合、左側の揺動部材と右側の揺動部材との揺動バランスの調整が困難となるおそれがあった。
【０００６】
また、連結機構は、左側の揺動部材に設けられた凹部と、右側の揺動部材に設けられて凹部に嵌め込まれる係合突起からなる。この場合、凹部内で係合突起が引っ掛かり、可動役物のスムーズな移動を妨げるおそれがあった。つまり、特許文献１に開示の可動役物では、一つの駆動源（ステッピングモータ）によって左右一対の揺動部材をバランス良く且つスムーズに対称移動させることが困難であった。さらに、特定の部材や部位（例えば、係合突起）に負荷が集中して、可動役物の故障を生じやすくなるおそれがあった。
【０００７】
本発明は、特定の部材や部位に負荷が集中することを抑制しつつ、一つの駆動源によって一対の可動部材をバランス良く且つスムーズに対称移動させることができる演出装置および当該演出装置を備えた遊技機を提供することを目的とする。
【課題を解決するための手段】
【０００８】
本発明の一態様に係る演出装置は、正面視で互いに近接または離間する方向に対称移動可能な一対の可動部材である第一可動部材および第二可動部材を備えた演出装置であって、前記第一可動部材は、前記第一可動部材の背面側に設けられた、前記第一可動部材の移動方向に沿って連続する歯部である第一背面ギアと、前記第一可動部材の移動方向と直交する方向に突出する第一ガイド体とを有し、前記第二可動部材は、前記第二可動部材の背面側に設けられた、前記第二可動部材の移動方向に沿って連続する歯部である第二背面ギアと、前記第二可動部材の移動方向と直交する方向に突出する第二ガイド体とを有し、前記第一可動部材の背面側で軸心回りに回転自在に支持され、前記第一背面ギアと噛み合う第一連結ギアと、前記第一ガイド体が摺動可能な溝部であって、前記第一可動部材の移動方向に沿って延びる第一ガイド溝と、前記第二可動部材の背面側で軸心回りに回転自在に支持され、前記第二背面ギアと噛み合う第二連結ギアと、前記第二ガイド体が摺動可能な溝部であって、前記第二可動部材の移動方向に沿って延びる第二ガイド溝と、前記第一連結ギアと噛み合う出力ギアを回転可能な駆動源と、前記第一連結ギアの回転に連動して、前記第二連結ギアを回転させる動力伝達手段とを備える。
【０００９】
上記構成によれば、第一可動部材では、第一背面ギアが第一連結ギアと噛み合い、且つ、第一ガイド体が第一ガイド溝に沿って摺動可能である。第二可動部材では、第二背面ギアが第二連結ギアと噛み合い、且つ、第二ガイド体が第二ガイド溝に沿って摺動可能である。第一連結ギアは、駆動源に設けられた出力ギアと噛み合う。出力ギアの回転に伴って第一連結ギアが回転し、第一連結ギアの回転に連動して第二連結ギアが回転する。第一連結ギアを介して第一可動部材が第一ガイド溝に沿って移動されるとともに、連結ロッド及び第二連結ギアを介して、第二可動部材が第二ガイド溝に沿って移動される。このように、駆動源の駆動力が、第一可動部材のみならず連結ロッドを介して第二可動部材にも直接的に作用する。したがって、特定の部材や部位に負荷が集中することを抑制しつつ、一対の可動部材をバランス良く且つスムーズに対称移動させることができる。
【００１０】
前記動力伝達手段は、前記第一連結ギアと前記第二連結ギアとの間で軸心回りに回転自在に支持され、前記第一連結ギアおよび前記第二連結ギアの各軸線と直交する方向に延びる連結ロッドと、前記連結ロッドの一端側に設けられ、前記第一連結ギアと係合する第一回転軸方向変換手段と、前記連結ロッドの他端側に設けられ、前記第二連結ギアと係合する第二回転軸方向変換手段とを備えてもよい。この場合、第一連結ギアおよび第二連結ギアを各々異なる方向に回転させることができる。ひいては、一対の可動部材を対称移動させることができる。
【００１１】
前記第一可動部材および前記第二可動部材は、前記演出装置の左右両側に向けて対称移動可能であり、且つ、平面視で前方側に膨らむ円弧状をなし、前記第一ガイド溝および前記第二ガイド溝は、互いに近接する前記演出装置の中央側から、互いに離間する前記演出装置の左右両側に向けて、それぞれ前方から後方に向けて湾曲する円弧状をなしてもよい。この場合、一対の可動部材は、演出装置の左右両側に移動するのに伴って、演出装置の前後方向にも移動する。したがって、一対の可動部材が円弧状の軌跡で移動することで、演出装置は奥行きのある演出動作を実行できる。
【００１２】
前記第一可動部材および前記第二可動部材は、各々の前記端面に相互に吸着する磁性体が設けられてもよい。この場合、一対の可動部材が互いに近接する位置に移動した場合、各々の端面を隙間なく接続することができる。
【００１３】
本発明の一態様に係る遊技機は、上記の演出装置と、前記駆動源を制御することで、前記第一可動部材および前記第二可動部材の移動位置を調整する制御手段を備えてもよい。この場合、駆動源を制御するだけで、一対の可動部材を対称移動させる演出動作を行うことができる。
【図面の簡単な説明】
【００１４】
【図１】パチンコ機１の正面図である。
【図２】遊技盤２の正面図である。
【図３】ケース体３０の斜視図である。
【図４】演出装置１０の斜視図である。
【図５】ロゴ役物１００が離間位置にあり、且つ、回転役物５００が下端位置にある時の演出装置１０の正面図である。
【図６】ロゴ役物１００が近接位置にあり、且つ、回転役物５００が下端位置にある時の演出装置１０の正面図である。
【図７】ロゴ役物１００の斜視図である。
【図８】近接位置にある時のロゴ役物１００の平面図である。
【図９】離間位置にある時のロゴ役物１００の平面図である。
【図１０】回転役物５００の斜視図である。
【図１１】上端位置で水平状態にある回転役物５００の正面図である。
【図１２】下端位置で水平状態にある回転役物５００の正面図である。
【図１３】傾斜状態にある回転役物５００の正面図である。
【図１４】支持体５２０の斜視図である。
【図１５】役物本体５１０の回転時における、装飾体５１１Ａ〜５１１Ｄの変化を示す図である。
【発明を実施するための形態】
【００１５】
本発明に係る遊技機の一実施形態であるパチンコ機１について、図面を参照して説明する。以下の説明では、図１および図２の手前側、奥側、上側、下側、左側、右側を、それぞれ、パチンコ機１の前側（正面側）、後側（背面側）、上側、下側、左側、右側とする。図３の左下側、右上側、上側、下側、左上側、右下側を、それぞれ、パチンコ機１の前側（正面側）、後側（背面側）、上側、下側、左側、右側とする。
【００１６】
図１および図２を参照して、パチンコ機１の概略構成を説明する。パチンコ機１の上半分の部分には遊技盤２が設けられている。遊技盤２は正面視略正方形であり（図２参照）、透明なガラス板を保持した前面枠１３によって前面を保護されている。遊技盤２の下部には上皿５が設けられている。上皿５は、発射機に遊技球を供給し、且つ賞品球を受ける。上皿５の上部中央には、遊技者によって操作される操作ボタン９が配設されている。上皿５の直下には、賞品球を受ける下皿６が設けられている。下皿６の右横には、遊技球の発射を調整する発射ハンドル７が設けられている。前面枠１３の上部の左右の角には、スピーカ４８がそれぞれ設けられている。
【００１７】
遊技盤２の前面には、ガイドレール３で囲まれた略円形の遊技領域４が形成されている。遊技領域４の略中央には、ＬＣＤ（液晶ディスプレイ）等で構成される画像表示装置２８が配設されている。画像表示装置２８は、動画、メッセージ等の様々な映像を表示可能な表示面を有する。特に、画像表示装置２８は、大当たり判定の結果を報知するためのデモ図柄を表示する。パチンコ機１は、複数（本実施形態では３つ）のデモ図柄を変動させた後に、大当たり判定の結果を示すデモ図柄の組合せを確定表示させる報知演出を実行することで、大当たり判定の結果を遊技者に報知する。
【００１８】
画像表示装置２８の前方には、正面視で画像表示装置２８の表示面を取り囲むように、演出装置１０が設けられている。演出装置１０は、画像表示装置２８およびスピーカ４８等と連動して、報知演出等の様々な演出を実行する。演出装置１０の詳細は、別途後述する。
【００１９】
画像表示装置２８の下方には、第一特別図柄始動入賞口１４が設けられている。画像表示装置２８の右方には普通図柄始動ゲート１２が設けられており、普通図柄始動ゲート１２の下方には第二特別図柄始動電動役物１５が配設されている。第二特別図柄始動電動役物１５の左斜め下方には、通常アタッカー１６が設けられている。第一特別図柄始動入賞口１４の直下に、Ｖアタッカー１７が設けられている。
【００２０】
第二特別図柄始動電動役物１５は、開閉部材を備える。第二特別図柄始動電動役物１５の開閉部材が開放状態となると、第二特別図柄始動電動役物１５への遊技球の入賞が容易になる。通常アタッカー１６およびＶアタッカー１７も開閉部材を備える。遊技球は、開閉部材が開放した状態でのみ、通常アタッカー１６およびＶアタッカー１７に入賞できる。各開閉部材はソレノイドによって電気的に開閉される。これらの入賞口（第一特別図柄始動入賞口１４、第二特別図柄始動電動役物１５、通常アタッカー１６、Ｖアタッカー１７）に遊技球が入賞すると、所定数の遊技球が払い出される。
【００２１】
本実施形態では、第一特別図柄始動入賞口１４に入賞すると、第一特別図柄大当たり判定が行われる。その結果、大当たりであると判定されると、通常アタッカー１６およびＶアタッカー１７が所定の順序で開放される大当たり遊技が実行される。図示しないが、Ｖアタッカー１７に入賞した遊技球の流路には、特定領域および非特定領域が形成されている。パチンコ機１では、大当たり遊技中に遊技球がＶアタッカー１７内の特定領域を通過することが、大当たり遊技終了後に確率変動状態を生起する条件となっている。本実施形態では、Ｖアタッカー１７は１回の大当たり遊技中に１回開放される。
【００２２】
また、普通図柄始動ゲート１２を遊技球が通過すると、普通当たり判定が行われる。その結果、普通当たりであると判定されると、第二特別図柄始動電動役物１５が開放される。第二特別図柄始動電動役物１５に入賞すると、第二特別図柄大当たり判定が行われる。その結果、大当たりであると判定されると、先述と同様に大当たり遊技が実行される。
【００２３】
図示しないが、パチンコ機１の背面側には、各種基板を備えた制御部が設けられている。制御部の各基板はＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。ランプドライバ基板は、主基板で行われた制御結果に基づいて、後述するロゴ駆動モータ３００、回転駆動モータ５５０、昇降駆動モータ７００Ｌ，７００Ｒなどを制御して、演出装置１０（ロゴ役物１００や回転役物５００など）による演出動作を実行する。
【００２４】
図３〜図６を参照して、演出装置１０およびその動作概要について説明する。本実施形態の演出装置１０は、ケース体３０の前面側に設けられる。ケース体３０は枠状の樹脂ケースであり、その前側に遊技盤２が設けられ、その後側に画像表示装置２８が設けられる（図１および図２参照）。ケース体３０には、画像表示装置２８の表示面を、パチンコ機１の正面側に露出させる開口部２９が形成されている。
【００２５】
演出装置１０は、フレーム体（上フレーム３１、左フレーム３２、右フレーム３３）、ロゴ役物１００、回転役物５００などを備えている。上フレーム３１、左フレーム３２、右フレーム３３は、ケース体３０の前面側に固定される、演出装置１０の骨組みを構成する金属部品である。上フレーム３１、左フレーム３２、右フレーム３３は、一体に連結固定されており、全体として下方に開口するコの字型のフレームを形成する。上フレーム３１は、開口部２９の上縁に沿って固定される、左右方向を長手とする板状部材である。左フレーム３２および右フレーム３３は、それぞれ開口部２９の左右両縁に沿って固定される、上下方向を長手とする板状部材であり、各々の上端は上フレーム３１の左右両端に連結されている。
【００２６】
上フレーム３１には、ロゴ役物１００が設けられている。ロゴ役物１００は、画像表示装置２８の表示面よりも前側、且つ、正面視で画像表示装置２８の表示面のやや上方に位置する。ロゴ役物１００は、一対のロゴ部材１１０Ｌ，１１０Ｒを有する。ロゴ部材１１０Ｌ，１１０Ｒは、正面視で互いに近接または離間するように、それぞれ左右方向に対称移動可能である。
【００２７】
具体的には、ロゴ部材１１０Ｌ，１１０Ｒは、ロゴ駆動モータ３００の回転に応じて、ガイドレール２００に沿って左右方向に移動する。ガイドレール２００は、ケース体３０の開口部２９の上縁に沿って設けられた、画像表示装置２８の表示面よりも若干左右方向に長い板状部材である。ガイドレール２００は、平面視で前側に膨らむ円弧状をなし、ガイド溝２１０Ｌ，２１０Ｒが設けられている。ガイド溝２１０Ｌは、ガイドレール２００の左右方向中心部のやや左側から左端近傍まで延び、ロゴ部材１１０Ｌを左右方向に案内する。ガイド溝２１０Ｒは、ガイドレール２００の左右方向中心部のやや右側から右端近傍まで延び、ロゴ部材１１０Ｒを左右方向に案内する。
【００２８】
図３および図６に示すように、ロゴ部材１１０Ｌが可動範囲の右端位置まで移動し、且つ、ロゴ部材１１０Ｒが可動範囲の左端位置まで移動すると、ロゴ部材１１０Ｌ，１１０Ｒは相互に接触する。このときのロゴ部材１１０Ｌ，１１０Ｒの左右方向位置を、「近接位置」という。図４および図５に示すように、ロゴ部材１１０Ｌが可動範囲の左端位置まで移動し、且つ、ロゴ部材１１０Ｒが可動範囲の右端位置まで移動すると、ロゴ部材１１０Ｌ，１１０Ｒが最も大きく離間する。このときのロゴ部材１１０Ｌ，１１０Ｒの左右方向位置を、「離間位置」という。
【００２９】
つまり、ロゴ部材１１０Ｌ，１１０Ｒは、近接位置と離間位置との間で左右方向に往復移動（開閉動作）を実行できる。ここで、ガイド溝２１０Ｌ，２１０Ｒは、平面視で互いに近接する側から離間する側に向けて、それぞれ前方から後方に向けて湾曲する円弧状をなす。ロゴ部材１１０Ｌ，１１０Ｒは、近接位置にある場合に最も前面側に位置する一方、離間位置にある場合に最も背面側に位置する。したがって、ロゴ部材１１０Ｌ，１１０Ｒは、ガイド溝２１０Ｌ，２１０Ｒに沿って平面視で円弧状の軌跡で移動するため、ガイドレール２００の左右方向中心に向けて移動するのに伴って前側に移動し、ガイドレール２００の左右方向両側に向けて移動するのに伴って後側に移動する。
【００３０】
左フレーム３２および右フレーム３３には、回転役物５００が設けられている。回転役物５００は、画像表示装置２８の表示面よりも前側、且つ、近接位置のロゴ部材１１０Ｌ，１１０Ｒよりも後側に位置する。回転役物５００は、演出用に装飾された可動部材である役物本体５１０を有する。役物本体５１０は、正面視で画像表示装置２８の表示面と重複する範囲で昇降可能であり、且つ、役物本体５１０の軸線回りに回転可能である。具体的には、役物本体５１０は、昇降駆動モータ７００Ｌ，７００Ｒの回転に応じて、後述するガイド軸６００Ｌ，６００Ｒ（図１０等参照）に沿って上下方向に移動する。
【００３１】
図３および図４に示すように、役物本体５１０が可動範囲の上端位置まで移動した場合、役物本体５１０は正面視でケース体３０の開口部２９の上側に位置する。そのため、正面視で画像表示装置２８の表示面が、役物本体５１０によって被覆されることなく前方に露出する。この状態で、ロゴ部材１１０Ｌ，１１０Ｒが近接位置に移動すると、図３に示すように、役物本体５１０が正面視でロゴ部材１１０Ｌ，１１０Ｒによって被覆される。一方、ロゴ部材１１０Ｌ，１１０Ｒが離間位置に移動すると、図４に示すように、役物本体５１０が正面視でロゴ部材１１０Ｌ，１１０Ｒの間で前方に露出する。
【００３２】
図５および図６に示すように、役物本体５１０が可動範囲の上端位置から下方に移動すると、役物本体５１０が正面視で画像表示装置２８の表示面の一部を被覆する。この場合、ロゴ部材１１０Ｌ，１１０Ｒが近接位置および離間位置のいずれであるかに関わらず、役物本体５１０が前方に露出する。役物本体５１０の可動範囲の下端位置は、正面視で画像表示装置２８の表示面の下端部を被覆する位置である。
【００３３】
つまり、役物本体５１０は、上端位置と下端位置との間で上下方向に往復移動（昇降動作）を実行できる。さらに、役物本体５１０は、後述する回転駆動モータ５５０の回転に応じて、後述する回転軸５３０に沿って、側面視で時計回り方向および反時計回り方向に回転可能である（図１４参照）。したがって、演出装置１０は、ロゴ役物１００による開閉動作と、回転役物５００による昇降動作および回転動作とを組み合わせて、多様な演出動作を実行可能である。
【００３４】
図７〜図９を参照して、ロゴ役物１００について説明する。図７〜図９に示すように、ロゴ役物１００は、ロゴ部材１１０Ｌ，１１０Ｒ、ガイドレール２００、連結ロッド２２０、連結ギア２３０Ｌ，２３０Ｒ、原点フォトセンサ２９０、ロゴ駆動モータ３００などを備える。なお、図７〜図９では、説明の便宜のため、ガイドレール２００は図示していない。
【００３５】
ロゴ部材１１０Ｌ，１１０Ｒは、略左右対称をなす正面視で横長矩形状の板状部材であり、平面視で各々対応するガイド溝２１０Ｌ，２１０Ｒと同様に、前側に膨らむ円弧状に湾曲している。ロゴ部材１１０Ｌの正面側には、「ＳＥ」の文字を施した装飾物が設けられている。ロゴ部材１１０Ｒの正面側には、「ＸＹ」の文字を施した装飾物が設けられている。したがって、ロゴ部材１１０Ｌ，１１０Ｒが近接位置にある場合、遊技者は「ＳＥＸＹ」の文字を認識することができる。
【００３６】
ロゴ部材１１０Ｌの背面には、ロゴ部材１１０Ｌの移動方向（左右方向）に沿って連続する歯部である背面ギア１１１Ｌが設けられている。ロゴ部材１１０Ｌの上面には、ロゴ部材１１０Ｌの移動方向と直交する方向（上方向）に突出するブッシュであるガイド体１１２Ｌ，１１３Ｌが、所定間隔を空けて左右方向に並んで設けられている。ガイド体１１２Ｌ，１１３Ｌは、それぞれガイド溝２１０Ｌに取り付けられ、ガイド溝２１０Ｌに沿って摺動可能である。
【００３７】
同様に、ロゴ部材１１０Ｒの背面には、ロゴ部材１１０Ｒの移動方向（左右方向）に沿って連続する歯部である背面ギア１１１Ｒが設けられている。ロゴ部材１１０Ｒの上面には、ロゴ部材１１０Ｒの移動方向と直交する方向（上方向）に突出するブッシュであるガイド体１１２Ｒ，１１３Ｒが、所定間隔を空けて左右方向に並んで設けられている。ガイド体１１２Ｒ，１１３Ｒは、それぞれガイド溝２１０Ｒに取り付けられ、ガイド溝２１０Ｒに沿って摺動可能である。
【００３８】
ロゴ部材１１０Ｌの後方には、上下方向に延びる軸を中心に回転可能に支持された連結ギア２３０Ｌが設けられている。連結ギア２３０Ｌは、その上端に設けられた傘歯車である上ギア２３２Ｌと、上ギア２３２Ｌの下方に設けられた平歯車である下ギア２３１Ｌとを一体に有する。下ギア２３１Ｌは、ロゴ部材１１０Ｌの背面ギア１１１Ｌと噛み合っている。
【００３９】
同様に、ロゴ部材１１０Ｒの後方には、上下方向に延びる軸を中心に回転可能に支持された連結ギア２３０Ｒが設けられている。連結ギア２３０Ｒは、その上端に設けられた傘歯車である上ギア２３２Ｒと、上ギア２３２Ｒの下方に設けられた平歯車である下ギア２３１Ｒとを一体に有する。下ギア２３１Ｒは、ロゴ部材１１０Ｒの背面ギア１１１Ｒと噛み合っている。
【００４０】
連結ギア２３０Ｌ，２３０Ｒの間には、左右方向に延びる連結ロッド２２０が、その軸心回りに回転自在に支持されている。つまり、連結ロッド２２０は、連結ギア２３０Ｌ，２３０Ｒの各軸線と直交する方向に延びている。連結ロッド２２０の左右両端には、それぞれ先端に傘歯車が形成された傘歯ギア２２１Ｌ，２２１Ｒが固定されている。傘歯ギア２２１Ｌは連結ギア２３０Ｌの上ギア２３２Ｌと直交に噛み合い、傘歯ギア２２１Ｒは連結ギア２３０Ｒの上ギア２３２Ｒと直交に噛み合っている。
【００４１】
連結ギア２３０Ｌの後方には、ステッピングモータであるロゴ駆動モータ３００が配設されている。ロゴ駆動モータ３００の出力軸は、連結ギア２３０Ｌの回転軸と平行をなす上下方向に延び、その先端に平歯車である出力ギア２４０が固定されている。出力ギア２４０は、連結ギア２３０Ｌの下ギア２３１Ｌと噛み合っている。
【００４２】
ガイドレール２００の近傍には、ロゴ部材１１０Ｌ，１１０Ｒの原点位置を検出するための原点フォトセンサ２９０が設けられている。原点フォトセンサ２９０は、ロゴ部材１１０Ｌ，１１０Ｒが近接位置（原点位置）にある場合、ロゴ部材１１０Ｌの上面に設けられた検出板１１５を検出する。パチンコ機１は、原点フォトセンサ２９０によって検出される原点位置を基準として、ロゴ部材１１０Ｌ，１１０Ｒの開閉動作を制御する。
【００４３】
上記の構成を有するロゴ役物１００の動作原理について説明する。ロゴ役物１００が閉じる演出動作の実行時には、ロゴ部材１１０Ｌ，１１０Ｒが近接位置（原点位置）に向けて移動される。
【００４４】
具体的には、ロゴ駆動モータ３００が出力ギア２４０を平面視で時計回り方向（図８、図９では右回り方向）に回転させる。すると、出力ギア２４０に下ギア２３１Ｌが噛み合う連結ギア２３０Ｌが、平面視で反時計回り方向（図８、図９では左回り方向）に回転する。これに伴って、下ギア２３１Ｌと噛み合う背面ギア１１１Ｌを介して、ロゴ駆動モータ３００の回転力がロゴ部材１１０Ｌを右方向に付勢する。これにより、ガイド体１１２Ｌ，１１３Ｌがガイド溝２１０Ｌに沿って摺動して、ロゴ部材１１０Ｌが右方向に案内される。
【００４５】
同時に、連結ギア２３０Ｌの回転に伴って、上ギア２３２Ｌと噛み合う傘歯ギア２２１Ｌを介して、連結ロッド２２０が左側面視で時計回り方向に回転される。さらに、傘歯ギア２２１Ｒに上ギア２３２Ｒが噛み合う連結ギア２３０Ｒが、平面視で時計回り方向に回転する。これに伴って、下ギア２３１Ｒと噛み合う背面ギア１１１Ｒを介して、ロゴ駆動モータ３００の回転力がロゴ部材１１０Ｒを左方向に付勢する。これにより、ガイド体１１２Ｒ，１１３Ｒがガイド溝２１０Ｒに沿って摺動して、ロゴ部材１１０Ｒが左方向に案内される。
【００４６】
図７および図８に示すように、ロゴ部材１１０Ｌが可動範囲の右端位置まで移動すると、原点フォトセンサ２９０によって検出板１１５が検出されて、ロゴ駆動モータ３００の駆動が停止される。このとき、ロゴ部材１１０Ｒが可動範囲の左端位置まで移動している。ロゴ部材１１０Ｌ，１１０Ｒには、各々が対向する端面に相互に吸着する磁性体１１９Ｌ，１１９Ｒが設けられている。したがって、ロゴ部材１１０Ｌ，１１０Ｒが近接位置にある場合、磁性体１１９Ｌ，１１９Ｒの吸着作用によって、ロゴ部材１１０Ｌ，１１０Ｒが隙間なく連結される。
【００４７】
一方、ロゴ役物１００が開く演出動作の実行時には、ロゴ部材１１０Ｌ，１１０Ｒが離間位置に向けて移動される。
【００４８】
具体的には、ロゴ駆動モータ３００が出力ギア２４０を平面視で反時計回り方向に回転させる。すると、先述とは逆に、連結ギア２３０Ｌが平面視で時計回り方向に回転し、ロゴ駆動モータ３００の回転力がロゴ部材１１０Ｌを左方向に付勢する。これにより、ロゴ部材１１０Ｌがガイド溝２１０Ｌに沿って左方向に案内される。同時に、連結ギア２３０Ｌの回転に伴って、連結ロッド２２０が左側面視で反時計回り方向に回転され、さらに連結ギア２３０Ｒが平面視で反時計回り方向に回転して、ロゴ駆動モータ３００の回転力がロゴ部材１１０Ｒを右方向に付勢する。これにより、ロゴ部材１１０Ｒがガイド溝２１０Ｒに沿って右方向に案内される。
【００４９】
図９に示すように、ロゴ駆動モータ３００が所定ステップ数回転すると、ロゴ部材１１０Ｌ，１１０Ｒが近接位置（原点位置）から離間位置まで移動する。つまり、ロゴ部材１１０Ｌが可動範囲の左端位置まで移動し、ロゴ部材１１０Ｒが可動範囲の右端位置まで移動しているから、ロゴ駆動モータ３００の駆動が停止される。
【００５０】
以上のように、本実施形態のロゴ役物１００では、ロゴ駆動モータ３００の駆動力が、ロゴ部材１１０Ｌのみならず連結ロッド２２０を介してロゴ部材１１０Ｒにも直接的に作用する。したがって、特定の部材や部位に負荷が集中することを抑制しつつ、一つの駆動源によってロゴ部材１１０Ｌ，１１０Ｒをバランス良く且つスムーズに対称移動させることができる。また、ロゴ部材１１０Ｌ，１１０Ｒが円弧状の軌跡で移動することで、ロゴ役物１００は奥行きのある演出動作を実行できる。さらに、ロゴ駆動モータ３００を制御するだけで、一対のロゴ部材１１０Ｌ，１１０Ｒを対称移動させる演出動作を行うことができる。
【００５１】
図１０〜図１５を参照して、回転役物５００について説明する。図１０〜図１３に示すように、回転役物５００は、役物本体５１０、支持体５２０、ガイド軸６００Ｌ，６００Ｒ、昇降ラック６１０Ｌ，６１０Ｒ、原点フォトセンサ６９０Ｌ，６９０Ｒ、昇降駆動モータ７００Ｌ，７００Ｒなどを備える。なお、説明の便宜のため、図１０〜図１３ではロゴ役物１００を図示しない。さらに図１３では、役物本体５１０の左右両側に設けられた装飾部品を、支持体５２０から取り除いている。
【００５２】
左フレーム３２の前側には、上下方向に延びる円柱状のガイド軸６００Ｌが固定されている。さらに、ガイド軸６００Ｌの近傍には、ステッピングモータである昇降駆動モータ７００Ｌが配設されている。昇降駆動モータ７００Ｌの出力軸は左右方向に延び、その先端に平歯車である出力ギア６２０Ｌが固定されている。さらに、出力ギア６２０Ｌの後方には、支持体５２０の左端部と連結される昇降ラック６１０Ｌが設けられている。
【００５３】
昇降ラック６１０Ｌには、ガイド軸６００Ｌが挿通されるガイド体６１１Ｌ，６１２Ｌが、所定間隔を空けて上下方向に並んで設けられている。ガイド体６１１Ｌ，６１２Ｌは、それぞれガイド軸６００Ｌの軸線方向に沿って摺動可能である一方、ガイド軸６００Ｌの軸線回りに対する回転は規制されている。昇降ラック６１０Ｌの前側には、昇降ラック６１０Ｌの移動方向（上下方向）に沿って連続する歯部である前面ギア６１３Ｌが設けられている。昇降駆動モータ７００Ｌの出力ギア６２０Ｌは、前面ギア６１３Ｌと噛み合っている。昇降ラック６１０Ｌの右端部には、後述の搬送ピン５２５Ｌが取り付けられる板状の連結片６１４Ｌが設けられているが、詳細は後述する。
【００５４】
ガイド軸６００Ｌの上端近傍には、昇降ラック６１０Ｌの原点位置を検出するための原点フォトセンサ６９０Ｌが設けられている。原点フォトセンサ６９０Ｌは、昇降ラック６１０Ｌが可動範囲の上端位置（原点位置）にある場合、昇降ラック６１０Ｌの側面に設けられた検出板６１９Ｌを検出する。パチンコ機１は、原点フォトセンサ６９０Ｌによって検出される原点位置を基準として、昇降ラック６１０Ｌの昇降動作を制御する。
【００５５】
同様に、右フレーム３３の前側には、上下方向に延びる円柱状のガイド軸６００Ｒが固定されている。さらに、ガイド軸６００Ｒの近傍には、ステッピングモータである昇降駆動モータ７００Ｒが配設されている。昇降駆動モータ７００Ｒの出力軸は左右方向に延び、その先端に平歯車である出力ギア６２０Ｒが固定されている。さらに、出力ギア６２０Ｒの後方には、支持体５２０の右端部と連結される昇降ラック６１０Ｒが設けられている。
【００５６】
昇降ラック６１０Ｒには、ガイド軸６００Ｒが挿通されるガイド体６１１Ｒ，６１２Ｒが、所定間隔を空けて上下方向に並んで設けられている。ガイド体６１１Ｒ，６１２Ｒは、それぞれガイド軸６００Ｒの軸線方向に沿って摺動可能である一方、ガイド軸６００Ｒの軸線回りに対する回転は規制されている。昇降ラック６１０Ｒの前側には、昇降ラック６１０Ｒの移動方向（上下方向）に沿って連続する歯部である前面ギア６１３Ｒが設けられている。昇降駆動モータ７００Ｒの出力ギア６２０Ｒは、前面ギア６１３Ｒと噛み合っている。昇降ラック６１０Ｒの左端部には、後述の搬送ピン５２５Ｒが取り付けられる板状の連結片６１４Ｒが設けられているが、詳細は後述する。
【００５７】
ガイド軸６００Ｒの上端近傍には、昇降ラック６１０Ｒの原点位置を検出するための原点フォトセンサ６９０Ｒが設けられている。原点フォトセンサ６９０Ｒは、昇降ラック６１０Ｒが可動範囲の上端位置（原点位置）にある場合、昇降ラック６１０Ｒの側面に設けられた検出板６１９Ｒを検出する。パチンコ機１は、原点フォトセンサ６９０Ｒによって検出される原点位置を基準として、昇降ラック６１０Ｒの昇降動作を制御する。
【００５８】
昇降ラック６１０Ｌ，６１０Ｒの間には、役物本体５１０を保持する横長板状の支持体５２０が架設されている。支持体５２０の左右両端部には、前後方向と平行に突出する円柱状の搬送ピン５２５Ｌ，５２５Ｒが設けられている。搬送ピン５２５Ｌは、連結片６１４Ｌに形成されている連結孔６１５Ｌに挿入される。連結孔６１５Ｌは、連結片６１４Ｌに対して前後方向と平行に貫通する孔部であって、挿入された搬送ピン５２５Ｌを軸心周りに回転自在に支持する。搬送ピン５２５Ｒは、連結片６１４Ｒに形成されている連結孔６１５Ｒに挿入される。連結孔６１５Ｒは、連結片６１４Ｒに対して前後方向と平行に貫通する孔部であって、挿入された搬送ピン５２５Ｒを軸心周りに回転自在に支持する。
【００５９】
連結孔６１５Ｌは、正面視で役物本体５１０の移動方向とは異なる方向に遊びを有する長穴である。本実施形態の連結孔６１５Ｌは、搬送ピン５２５Ｌとほぼ同径または若干大きい径で形成された、役物本体５１０の移動する上下方向と直交する左右方向に延びる長穴である。よって、連結孔６１５Ｌに挿入された搬送ピン５２５Ｌは、連結孔６１５Ｌ内の遊びがある範囲で左右方向に摺動可能である。一方、連結孔６１５Ｒは、搬送ピン５２５Ｌとほぼ同径または若干大きい径で形成された丸穴である。よって、連結孔６１５Ｒに挿入された搬送ピン５２５Ｒは、その径方向（上下左右方向）への移動が規制される。
【００６０】
図１４および図１５に示すように、役物本体５１０は、左右方向を長手方向および軸線方向とする直方体状であり、その左右両端面が正方形状をなす。役物本体５１０の内部には、役物本体５１０の左右両端側に突出する回転軸５３０が固定されている。支持体５２０は、搬送ピン５２５Ｌ，５２５Ｒを結ぶ方向（左右方向）に延びる板状体である。支持体５２０は、その前面側における長手方向の中央部で、回転軸５３０の両端を回転自在に軸支する。回転軸５３０の軸線方向（つまり、役物本体５１０の軸線方向）は、役物本体５１０の軸線方向と平行である。
【００６１】
役物本体５１０は、その回転方向に沿って４つの平面が形成された四面体である。役物本体５１０が有する４つの平面には、それぞれ異なる装飾体５１１Ａ〜５１１Ｄが施されている。本実施形態では、装飾体５１１Ａは「Ｐｏｗｅｒ」の文字を含む装飾物であり、装飾体５１１Ｂは「Ｓｐｅｅｄ」の文字を含む装飾物であり、装飾体５１１Ｃは「Ｔｅｃｈｎｉｑｕｅ」の文字を含む装飾物であり、装飾体５１１Ｄは「Ｍａｒｖｅｌｏｕｓ」の文字を含む装飾物である。
【００６２】
役物本体５１０の右端面には、平歯車である側面ギア５１２が固定されている。側面ギア５１２では、役物本体５１０の右側に突出する回転軸５３０の回転方向に沿って歯部が形成されている。支持体５２０の左右両端には、前方に突出する搬送ピン５２５Ｌ，５２５Ｒが設けられている。支持体５２０における、側面ギア５１２と搬送ピン５２５Ｒとの間には、ステッピングモータである回転駆動モータ５５０が配設されている。回転駆動モータ５５０の出力軸は、回転軸５３０と平行な左右方向に延び、その先端に平歯車である出力ギア５４０が固定されている。出力ギア５４０は、役物本体５１０の側面ギア５１２と噛み合っている。
【００６３】
役物本体５１０の左端面近傍には、役物本体５１０の原点位置を検出するための原点フォトセンサ５９０が設けられている。原点フォトセンサ５９０は、役物本体５１０が基準回転位置（原点位置）にある場合、役物本体５１０の左端面に設けられた検出板（図示外）を検出する。パチンコ機１は、原点フォトセンサ５９０によって検出される原点位置を基準として、役物本体５１０の回転制御を実行する。
【００６４】
上記の構成を有する回転役物５００の動作原理について説明する。役物本体５１０が上昇する演出動作の実行時には、昇降ラック６１０Ｌ，６１０Ｒが上端位置（原点位置）に向けて移動される。
【００６５】
具体的には、昇降駆動モータ７００Ｌが出力ギア６２０Ｌを左側面視で時計回り方向に回転させる。すると、出力ギア６２０Ｌと噛み合う前面ギア６１３Ｌを介して、昇降駆動モータ７００Ｌの回転力が昇降ラック６１０Ｌを上方向に付勢する。これにより、ガイド体６１１Ｌ，６１２Ｌがガイド軸６００Ｌに沿って摺動して、昇降ラック６１０Ｌが上方向に案内される。これに伴って、昇降ラック６１０Ｌに搬送ピン５２５Ｌが連結されている支持体５２０（ひいては、役物本体５１０）が、左側から持ち上げられる。昇降ラック６１０Ｌが可動範囲の上端位置まで移動すると、原点フォトセンサ６９０Ｌによって検出板６１９Ｌが検出されて、昇降駆動モータ７００Ｌの駆動が停止される。
【００６６】
同様に、昇降駆動モータ７００Ｒが出力ギア６２０Ｒを右側面視で反時計回り方向に回転させる。すると、出力ギア６２０Ｒと噛み合う前面ギア６１３Ｒを介して、昇降駆動モータ７００Ｒの回転力が昇降ラック６１０Ｒを上方向に付勢する。これにより、ガイド体６１１Ｒ，６１２Ｒがガイド軸６００Ｒに沿って摺動して、昇降ラック６１０Ｒが上方向に案内される。これに伴って、昇降ラック６１０Ｒに搬送ピン５２５Ｒが連結されている支持体５２０（ひいては、役物本体５１０）が、右側から持ち上げられる。昇降ラック６１０Ｒが可動範囲の上端位置まで移動すると、原点フォトセンサ６９０Ｒによって検出板６１９Ｒが検出されて、昇降駆動モータ７００Ｒの駆動が停止される。
【００６７】
このように、昇降ラック６１０Ｌ，６１０Ｒが共に上方向に移動することで、役物本体５１０が画像表示装置２８の表示面の前側で上昇する。特に、昇降ラック６１０Ｌ，６１０Ｒを同じ高さで維持しながら同期して上昇させた場合には、図１０および図１１に示すように、役物本体５１０はその長手方向が左右方向と平行をなす状態（水平状態）を保ちながら、正面視で傾くことなく上昇する。
【００６８】
一方、役物本体５１０が下降する演出動作の実行時には、昇降ラック６１０Ｌ，６１０Ｒが下端位置に向けて移動される。
【００６９】
具体的には、昇降駆動モータ７００Ｌが出力ギア６２０Ｌを左側面視で反時計回り方向に回転させる。すると、先述とは逆に、昇降駆動モータ７００Ｌの回転力が昇降ラック６１０Ｌを下方向に付勢して、昇降ラック６１０Ｌがガイド軸６００Ｌに沿って下方向に案内される。これに伴って、支持体５２０（ひいては、役物本体５１０）が、左側から押し下げられる。昇降駆動モータ７００Ｌが所定ステップ数回転すると、昇降ラック６１０Ｌが上端位置（原点位置）から可動範囲の下端位置まで移動するから、昇降駆動モータ７００Ｌの駆動が停止される。
【００７０】
同様に、昇降駆動モータ７００Ｒが出力ギア６２０Ｒを左側面視で時計回り方向に回転させる。すると、先述とは逆に、昇降駆動モータ７００Ｒの回転力が昇降ラック６１０Ｒを下方向に付勢して、昇降ラック６１０Ｒがガイド軸６００Ｒに沿って下方向に案内される。これに伴って、支持体５２０（ひいては、役物本体５１０）が、右側から押し下げられる。昇降駆動モータ７００Ｒが所定ステップ数回転すると、昇降ラック６１０Ｒが上端位置（原点位置）から可動範囲の下端位置まで移動するから、昇降駆動モータ７００Ｒの駆動が停止される。
【００７１】
このように、昇降ラック６１０Ｌ，６１０Ｒが共に下方向に移動することで、役物本体５１０が画像表示装置２８の表示面の前側で下降する。特に、昇降ラック６１０Ｌ，６１０Ｒを同じ高さで維持しながら同期して下降させた場合には、図１２に示すように、役物本体５１０は水平状態を保ちながら、正面視で傾くことなく下降する。
【００７２】
先述したように、連結孔６１５Ｌには、搬送ピン５２５Ｌが左右方向に摺動可能な遊びが設けられている。役物本体５１０が水平状態である場合、搬送ピン５２５Ｌが連結孔６１５Ｌの左端部に位置している（図１１、図１２参照）。一方、図１３に示すように、昇降ラック６１０Ｌ，６１０Ｒを高さ位置が異なる場合は、搬送ピン５２５Ｌは連結孔６１５Ｌの左端部よりも右側に移動する。このとき、支持体５２０は水平状態から傾くため、役物本体５１０も正面視で長手方向が左右方向に対して傾斜する。
【００７３】
具体的には、昇降ラック６１０Ｌが昇降ラック６１０Ｒよりも高い場合には、役物本体５１０は正面視で右下方向に傾き、昇降ラック６１０Ｌが昇降ラック６１０Ｒよりも低い場合には、役物本体５１０は正面視で左下方向に傾く。昇降ラック６１０Ｌ，６１０Ｒの高度差が大きいほど（つまり、役物本体５１０の傾きが大きいほど）、搬送ピン５２５Ｌは連結孔６１５Ｌの右端部に近づく。言い換えると、搬送ピン５２５Ｌは連結孔６１５Ｌの右端部に位置しているときに、役物本体５１０の傾きが最も大きくなる。
【００７４】
このように、昇降ラック６１０Ｌ，６１０Ｒの高さ位置を異ならせることで、役物本体５１０を傾けることができる。さらに、昇降ラック６１０Ｌ，６１０Ｒの高さ位置や高度差を制御することで、役物本体５１０の傾斜方向や傾斜角度を変化させることができる。さらに、このような役物本体５１０の傾斜動作と併せて、先述のように役物本体５１０を昇降させることができる。
【００７５】
また、役物本体５１０が回転する演出動作の実行時には、回転駆動モータ５５０が出力ギア５４０を側面視で時計回り方向または反時計回り方向に回転させる。すると、出力ギア５４０と噛み合う側面ギア５１２を介して、回転駆動モータ５５０の回転力が役物本体５１０を軸線回りに付勢して、役物本体５１０が回転する。役物本体５１０が所定回転位置まで移動すると、原点フォトセンサ５９０によって検出板（図示外）が検出される。
【００７６】
本実施形態では、役物本体５１０が右側面視で時計回り方向に回転する。図１５に示すように、装飾体５１１Ａが正面側を向く役物本体５１０の回転角度が、原点フォトセンサ５９０によって検出板（図示外）が検出される原点位置である。役物本体５１０が原点位置から９０度回転されると、装飾体５１１Ｂが正面側を向く。この状態から役物本体５１０が９０度回転されると、装飾体５１１Ｃが正面側を向く。この状態から役物本体５１０が９０度回転されると、装飾体５１１Ｄが正面側を向く。このように、役物本体５１０を回転させるのみならず、その回転角度に応じて遊技者が目視可能な装飾体５１１Ａ〜５１１Ｄを切り替えることができる。
【００７７】
以上のように、本実施形態の回転役物５００では、昇降ラック６１０Ｌ，６１０Ｒの移動に伴って、役物本体５１０も画像表示装置２８の表示面よりも前方で上下方向に移動する。昇降ラック６１０Ｌ，６１０Ｒの高さ位置が異なる場合、搬送ピン５２５Ｌは連結孔６１５Ｌに設けられた遊びに沿って移動し、役物本体５１０が正面視で傾斜する。さらに、昇降ラック６１０Ｌ，６１０Ｒの高さ位置や高度差を制御することで、役物本体５１０の傾斜方向や傾斜角度を変化させることができる。
【００７８】
したがって、画像表示装置２８の表示面よりも前方で、遊技者の視覚に与えるインパクトが強い役物演出を行うことができる。また、役物本体５１０を水平状態で上下動させる場合に、例えば昇降駆動モータ７００Ｌ，７００Ｒの一方の故障または誤作動等によって、昇降ラック６１０Ｌ，６１０Ｒの高さ位置が意図せず変化した場合でも、連結孔６１５Ｌの遊びに沿って搬送ピン５２５Ｌが移動することで、回転役物５００に生じる物理的な衝撃を緩衝することができる。
【００７９】
また、役物本体５１０が側面視で時計回り方向または反時計回り方向に回転し、それに応じて目視可能な装飾体５１１Ａ〜５１１Ｄが変化するため、役物本体の移動動作および傾斜動作と併せてインパクトが強い役物演出を行うことができる。回転駆動モータ５５０を制御するだけで、役物本体５１０の回転動作を用いた演出を実行できるとともに、昇降駆動モータ７００Ｌ，７００Ｒを制御するだけで、役物本体５１０の傾斜動作および昇降動作を用いた演出を実行できる。
【００８０】
ところで、演出装置１０は、ロゴ役物１００および回転役物５００を使用して、従来にない多様な演出を実行することができる。以下では、画像表示装置２８に表示されるデモ図柄の変動と連動して、演出装置１０が大当たりの期待度を報知する演出の一例を説明する。この例では、装飾体５１１Ａ〜５１１Ｄは、それぞれ異なる大当たりの期待度を示す。例えば、装飾体５１１Ａ〜５１１Ｄのうち、装飾体５１１Ａが最も低い期待度「２０％」であり、装飾体５１１Ｂが２番目に高い期待度「４０％」であり、装飾体５１１Ｃが３番目に高い期待度「６０％」であり、装飾体５１１Ｄが最も高い期待度「８０％」である。
【００８１】
パチンコ機１の制御部は、主基板で行われた大当たり判定の結果を報知するためのデモ図柄の変動パターン（演出態様）を決定するサブ制御基板を備える。サブ制御基板は、演出態様として、演出装置１０による期待度報知を伴う役物連動報知演出を実行するか否かも決定する。サブ制御基板が役物連動報知演出を実行する場合、画像表示装置２８に表示されるデモ図柄の変動と併せて、演出装置１０が以下のように動作する。
【００８２】
演出装置１０の初期状態では、図３に示すように、ロゴ部材１１０Ｌ，１１０Ｒは近接位置に移動し、且つ、役物本体５１０は上端位置に移動している。したがって、遊技者は役物本体５１０を目視することはできない。役物連動報知演出が開始されると、画像表示装置２８でデモ図柄の変動が開始される。デモ図柄の変動中に、図４に示すように、ロゴ部材１１０Ｌ，１１０Ｒが開くと共に、役物本体５１０が回転開始する。
【００８３】
次いで、図５に示すように、役物本体５１０は回転しながら、正面視で画像表示装置２８の表示面の略中央部まで下降する。そして、サブ制御基板によって決定された報知すべき期待度が「８０％」である場合、図１５に示すように、役物本体５１０の回転と仮停止とが繰り返されて、装飾体５１１Ａ、装飾体５１１Ｂ、装飾体５１１Ｃ、装飾体５１１Ｄの順序で正面側に連続して表示される。最後にロゴ部材１１０Ｌ，１１０Ｒが閉じることで、遊技者が目視可能な装飾体５１１Ｄが停止表示（つまり、確定）される。
【００８４】
同様に、報知すべき期待度が「６０％」である場合、装飾体５１１Ａ、装飾体５１１Ｂ、装飾体５１１Ｃの順序で正面側に連続して表示されたのち、ロゴ部材１１０Ｌ，１１０Ｒが閉じて装飾体５１１Ｃが確定される。報知すべき期待度が「４０％」である場合、装飾体５１１Ａ、装飾体５１１Ｂの順序で正面側に連続して表示されたのち、ロゴ部材１１０Ｌ，１１０Ｒが閉じて装飾体５１１Ｂが確定される。報知すべき期待度が「２０％」である場合、装飾体５１１Ａが正面側に表示されたのち、ロゴ部材１１０Ｌ，１１０Ｒが閉じて装飾体５１１Ａが確定される。役物本体５１０による期待度の報知後、画像表示装置２８でデモ図柄が停止して、大当たりであるか否かが確定表示される。
【００８５】
このように役物連動報知演出では、大当たりの期待度に応じた装飾体５１１Ａ〜５１１Ｄが正面側を向くように、役物本体５１０の回転位置が制御されるので、遊技者は目視可能な装飾体５１１Ａ〜５１１Ｄに基づいて大当たりの期待度を把握することができる。特に、１回のデモ図柄の変動中に装飾体５１１Ａ〜５１１Ｄを段階的に切り替えることで、大当たりの期待度をステップアップさせて遊技者の期待感を高めることができる。
【００８６】
上記実施形態において、ロゴ部材１１０Ｌが本発明の「第一可動部材」に相当する。背面ギア１１１Ｌが本発明の「第一背面ギア」に相当する。ガイド体１１２Ｌ，１１３Ｌが本発明の「第一ガイド体」に相当する。ロゴ部材１１０Ｒが本発明の「第二可動部材」に相当する。背面ギア１１１Ｒが本発明の「第二背面ギア」に相当する。ガイド体１１２Ｒ，１１３Ｒが本発明の「第二ガイド体」に相当する。連結ギア２３０Ｌが本発明の「第一連結ギア」に相当する。ガイド溝２１０Ｌが本発明の「第一ガイド溝」に相当する。連結ギア２３０Ｒが本発明の「第二連結ギア」に相当する。ガイド溝２１０Ｒが本発明の「第二ガイド溝」に相当する。ロゴ駆動モータ３００が本発明の「駆動源」に相当する。連結ロッド２２０および傘歯ギア２２１Ｌ，２２１Ｒが、本発明の「動力伝達手段」に相当する。傘歯ギア２２１Ｌが本発明の「第一回転軸方向変換手段」に相当する。傘歯ギア２２１Ｒが本発明の「第二回転軸方向変換手段」に相当する。パチンコ機１の制御部が本発明の「制御手段」に相当する。
【００８７】
本発明は、上記実施形態に限定されるものではなく、本発明の要旨を逸脱しない範囲内において種々の変更が可能であることは勿論である。例えば、上記実施形態では、ロゴ役物１００および回転役物５００が、演出装置１０に一体に備えられている。これに代えて、ロゴ役物１００および回転役物５００が、それぞれ独立した演出装置であってもよい。また、ロゴ役物１００および回転役物５００は、パチンコ機１に設けられるものに限定されず、例えばパチスロ機に設けられてもよい。
【００８８】
上記実施形態では、ロゴ部材１１０Ｌ，１１０Ｒが左右方向に開閉するロゴ役物１００を例示したが、ロゴ部材１１０Ｌ，１１０Ｒが他の方向（例えば、上下方向）に開閉するロゴ役物１００にも適用できる。また、役物本体５１０が上下方向に移動する回転役物５００を例示したが、役物本体５１０が他の方向（例えば、左右方向）に移動する回転役物５００にも適用できる。
【００８９】
上記実施形態では、連結ロッド２２０（および傘歯ギア２２１Ｌ，２２１Ｒ）によって、連結ギア２３０Ｌ，２３０Ｒ間で動力を伝達しているが、連結ギア２３０Ｌの回転に連動して連結ギア２３０Ｒを回転させる機構を用いて、連結ギア２３０Ｌ，２３０Ｒ間で動力を伝達してもよい。例えば、ウォームギア、ワイヤープーリ等、駆動源に連結された一端から他端に対して動力を伝達可能な各種機構を用いることができる。
【００９０】
上記実施形態では、連結孔６１５Ｌのみが左右方向に遊びを有するが、連結孔６１５Ｒのみが遊びを有してもよいし、連結孔６１５Ｌ，６１５Ｒがいずれも遊びを有してもよい。また、連結孔６１５Ｌ，６１５Ｒの少なくとも一方に設けられる遊びの形成方向は、左右方向に限定されず、昇降ラック６１０Ｌ，６１０Ｒの移動方向（つまり、回転役物５００の移動方向）と直交する方向（例えば、正面視で斜め方向）であればよい。
【符号の説明】
【００９１】
１    パチンコ機
１０    演出装置
２８    画像表示装置
２９    開口部
３０    ケース体
１００    ロゴ役物
１１０Ｌ，１１０Ｒ    ロゴ部材
１１１Ｌ，１１１Ｒ    背面ギア
１１２Ｌ，１１３Ｌ    ガイド体
１１２Ｒ，１１３Ｒ    ガイド体
１１９Ｌ，１１９Ｒ    磁性体
２００    ガイドレール
２１０Ｌ，２１０Ｒ    ガイド溝
２２０    連結ロッド
２２１Ｌ，２２１Ｒ    傘歯ギア
２３０Ｌ，２３０Ｒ    連結ギア
２４０    出力ギア
３００    ロゴ駆動モータ
５００    回転役物
５１０    役物本体
５１１Ａ〜５１１Ｄ    装飾体
５２５Ｌ，５２５Ｒ    搬送ピン
５３０    回転軸
５５０    回転駆動モータ
６００Ｌ，６００Ｒ    ガイド軸
６１０Ｌ，６１０Ｒ    昇降ラック
６１５Ｌ，６１５Ｒ    連結孔
７００Ｌ，７００Ｒ    昇降駆動モータ
【図１】
2013236802.tif 000003
【図２】
2013236802.tif 000004
【図３】
2013236802.tif 000005
【図４】
2013236802.tif 000006
【図５】
2013236802.tif 000007
【図６】
2013236802.tif 000008
【図７】
2013236802.tif 000009
【図８】
2013236802.tif 000010
【図９】
2013236802.tif 000011
【図１０】
2013236802.tif 000012
【図１１】
2013236802.tif 000013
【図１２】
2013236802.tif 000014
【図１３】
2013236802.tif 000015
【図１４】
2013236802.tif 000016
【図１５】
2013236802.tif 000017